【手続補正書】
【提出日】平成18年9月7日(2006.9.7)
【手続補正１】
【補正対象書類名】明細書
【補正対象項目名】特許請求の範囲
【補正方法】変更
【補正の内容】
【特許請求の範囲】
【請求項１】  支持体に適用した際に、少なくとも４０℃のＴｇ、少なくともＨＢの鉛筆の硬さ、０．８〜４．０ｍｉｌｓ（２０．３〜６３．５μｍ）の結合フィルムにおいて少なくとも８０ｌｂｓ（９Ｎ・ｍ）の直接耐衝撃性、少なくとも８０ｌｂｓ（９Ｎ・ｍ）の裏面耐衝撃性を有する被覆を提供するのに有効な粉末被覆組成物の製法において、前記製法が、
分枝ヒドロキシル末端オリゴエステルポリオールをウレトジオン架橋剤と配合して粉末被覆組成物を得ることを含み、分枝ヒドロキシル末端オリゴエステルポリオールは、１５〜２５０の範囲のヒドロキシル価、１〜２５の酸価、１０００〜７５００ダルトンの範囲の数平均分子量を有し、分枝ヒドロキシル末端オリゴエステルポリオールは、ヒドロキシル末端オリゴエステルジオールと少なくとも３つのカルボキシル官能基を有するポリ酸／無水物との反応生成物であり、ウレトジオン架橋剤は、イソシアネート基とヒドロキシル基の当量比を０．５：１．０〜１．８：１とするのに有効であり、ウレトジオン架橋剤は、有効量のウレタン触媒を使用せずに１６０℃の温度でまたは有効量のウレタン触媒を使用して１６０℃を下回る温度で粉末被覆組成物を硬化させるのに有効な相対量で存在する粉末被覆組成物の製法。
【請求項２】  ヒドロキシル末端オリゴエステルジオールとポリ酸の比が９：１〜３０：１である請求項１に記載の粉末被覆組成物の製法。
【請求項３】  ヒドロキシル末端オリゴエステルジオールが、ジオールと、開鎖脂肪族ジカルボン酸、脂環式ジカルボン酸、芳香族カルボン酸、開鎖脂肪族ジカルボン酸無水物、脂環式ジカルボン酸無水物、芳香族ジカルボン酸無水物、開鎖ジカルボン酸ハロゲン化物、脂環式ジカルボン酸ハロゲン化物、芳香族ジカルボン酸ハロゲン化物およびそれらの混合物から成る群より選択される二酸反応体との反応生成物であり、ジオールと二酸との反応を、４００〜１５００ダルトンの範囲の分子量を有するヒドロキシル末端オリゴエステルジオールを提供するのに有効な時間および温度で実施する請求項２に記載の粉末被覆組成物の製法。
【請求項４】  二酸反応体は芳香族二酸反応体を含有し、芳香族二酸反応体がテレフタル酸、フタル酸、フタル酸無水物、ジメチルテレフタル酸、ナフタレンジカルボキシレート、テトラクロロフタル酸、テレフタル酸ビスグリコールエステル、イソフタル酸、ｔ−ブチルイソフタル酸、およびそれらの混合物の芳香族酸、酸無水物または酸ハロゲン化物である請求項３に記載の粉末被覆組成物の製法。
【請求項５】  二酸反応体は脂環式二酸反応体を含有し、脂環式二酸反応体が１，４−シクロヘキサンジカルボン酸、１，３−シクロヘキサンジカルボン酸、ヘキサヒドロフタル酸、ジメチルシクロヘキサンジカルボン酸およびそれらの混合物の脂環式酸、脂環式酸無水物または脂環式酸ハロゲン化物である請求項３に記載の粉末被覆組成物の製法。
【請求項６】  ジオールが、ネオペンチルグリコール、１，６ヘキサンジオール、２−ブチル−２−エチル−１，３−プロパンジオール、１，４−シクロヘキサンジメタノール、およびそれらの混合物から成る群より選択され、二酸反応体が、芳香族二酸反応体、脂環式二酸反応体およびそれらの混合物から成る群より選択され、芳香族二酸反応体がテレフタル酸、フタル酸、フタル酸無水物、ジメチルテレフタル酸、ナフタレンジカルボキシレート、テトラクロロフタル酸、テレフタル酸ビスグリコールエステル、イソフタル酸、ｔ−ブチルイソフタル酸、およびそれらの混合物の芳香族酸、酸無水または酸ハロゲン化物であり、脂環式反応体が１，４−シクロヘキサンジカルボン酸、１，３−シクロヘキサンジカルボン酸、ヘキサヒドロフタル酸、ジメチルシクロヘキサンジカルボン酸およびそれらの混合物の脂環式酸、脂環式酸無水物または脂環式酸ハロゲン化物である請求項３に記載の粉末被覆組成物の製法。
【請求項７】  ポリ酸が少なくとも三酸である請求項６に記載の粉末被覆組成物の製法。
【請求項８】  分枝ヒドロキシル末端オリゴエステルポリオールが１．５〜５．０のヒドロキシル官能基を有する請求項７に記載の粉末被覆組成物の製法。
【請求項９】  ヒドロキシル末端オリゴエステルジオールを形成する反応は１７０℃〜２００℃に冷却されて、４００〜１５００ダルトンの分子量を有するオリゴエステルジオールを提供する請求項７に記載の粉末被覆組成物の製法。
【手続補正２】
【補正対象書類名】明細書
【補正対象項目名】００７８
【補正方法】変更
【補正の内容】
【００７８】
本発明を実施するにあたり、本発明の前記の詳細な説明を考慮すれば、当業者には様々な修飾および変更が予測できる。従って、そのような修飾および変更も特許請求の範囲に含まれるものとする。以下に本発明の具体的な態様を列挙する。
態様１．粉末被覆組成物であって、
約１５から約２５０の範囲のヒドロキシル価、約１から約２５の酸価、および約１０００から約７５００ダルトンの範囲の数平均分子量を有する分枝ヒドロキシル末端オリゴエステルポリオールであり、前記分枝ヒドロキシル末端オリゴエステルポリオールは、ヒドロキシ末端オリゴエステルジオールと少なくとも約３つのカルボキシル官能基を有するポリ酸または無水物との反応生成物である、分枝ヒドロキシル末端オリゴエステルポリオール、
ウレトジオン架橋剤とを含有し、分枝ヒドロキシル末端オリゴエステルポリオールおよび架橋剤は、それぞれ、有効量のウレタン触媒を使用せずに約１６０℃の温度でまたはウレタン触媒を使用して約１６０℃を下回る温度で粉末被覆組成物を硬化させるのに効果的な相対量で存在し、少なくとも約ＨＢの鉛筆硬さ、約０．８から約４．０ｍｉｌｓの硬化フィルム厚さにおける少なくとも約８０ｌｂの直接耐衝撃性および少なくとも約８０ｌｂｓの裏面耐衝撃性を有する硬化被覆を提供し、
少なくとも約４０℃のＴｇを有する被覆組成物であることを特徴とする粉末被覆組成物。
態様２．ヒドロキシル末端オリゴエステルジオール対ポリ酸の割合が約９：１から約３０：１であることを特徴とする態様１に記載の粉末被覆組成物。
態様３．ヒドロキシル末端オリゴエステルジオールが、ジオールと開鎖脂肪族ジカルボン酸、脂環式ジカルボン酸、芳香族ジカルボン酸、開鎖脂肪族ジカルボン酸無水物、脂環式ジカルボン酸無水物、芳香族ジカルボン酸無水物、開鎖ジカルボン酸ハロゲン化物、脂環式ジカルボン酸ハロゲン化物、芳香族ジカルボン酸ハロゲン化物およびそれらの混合物から成る群より選択される二酸反応体との反応生成物であり、ジオールと二酸との反応は、約４００から１５００ダルトンの範囲の分子量を有するヒドロキシル末端オリゴエステルジオールを提供するのに有効な時間および温度で実施されることを特徴とする態様２に記載の粉末被覆組成物。
態様４．ジオールが、ネオペンチルグリコール、１，６ヘキサンジオール、２−ブチル−２−エチル−１，３−プロパンジオール、１，４シクロヘキサンジメタノール、ジエチレングリコール、１，３プロパンジオール、水素化ビスフェノールＡ、ジメチロールプロプリオン酸、２，３，４，４−テトラメチル−１，３−シクロブタンジオール、エチレングリコール、プロピレングリコール、２，４−ジメチル−２−エチルヘキサン−１，３−ジオール、２−エチル−２−イソブチル−１，３−プロパンジオール、１，３−ブタンジオール、１，４−ブタンジオール、１，５−ペンタンジオール、チオジエタノール、１，２−シクロヘキサンジメタノール、１，３−シクロヘキサンジメタノール、１，４−キシリレンジオール、エトキシル化ビスフェノールＡ、３−ヒドロキシ−２，２−ジメチルプロプリオネート、メチルプロパンジオール、２−メチル−１，３−プロパンジオール、ヒドロキシピバリルヒドロキシピバレート、ビニルシクロヘキサンジオール、ジプロピレングリコール、ジメチロールプロプリオン酸、芳香族ジオール化合物およびそれらの混合物から成る群より選択されることを特徴とする態様３に記載の粉末被覆組成物。
態様５．二酸反応体は芳香族二酸反応体を含有し、ここで芳香族二酸反応体が、テレフタル酸、フタル酸、フタル酸無水物、ジメチルテレフタル酸、ナフタレンジカルボキシレート、テトラクロロフタル酸、テレフタル酸ビスグリコールエステル、イソフタル酸、ｔ−ブチルイソフタル酸、およびそれらの混合物の芳香族酸、酸無水または酸ハロゲン化であることを特徴とする態様４に記載の粉末被覆組成物。
態様６．二酸反応体は開鎖脂肪族二酸反応体を含有し、開鎖脂肪族二酸反応体が、フマル酸、アジピン酸、アゼライン酸、セバシン酸、ドデカン酸、グルタル酸、コハク酸、シュウ酸、イタコン酸、脂肪族の２量体、無水マレイン酸、無水コハク酸、クロルエンド酸、ジグリコール酸、ナジク酸およびそれらの混合物の開鎖脂肪族酸、酸無水物または酸ハロゲン化物であることを特徴とする態様４に記載の粉末被覆組成物。
態様７．二酸反応体は脂環式二酸反応体を含有し、脂環式二酸反応体が、１，４−シクロヘキサンジカルボン酸、１，３−シクロヘキサンジカルボン酸、ヘキサヒドロフタル酸、ジメチルシクロヘキサンジカルボン酸およびそれらの混合物の脂環式酸、脂環式酸無水物または脂環式酸ハロゲン化物であることを特徴とする態様４に記載の粉末被覆組成物。
態様８．ジオールが、ネオペンチルグリコール、１，６ヘキサンジオール、２−ブチル−２−エチル−１，３−プロパンジオール、１，４−シクロヘキサンジメタノールおよびそれらの混合物から成る群より選択されることを特徴とする態様５に記載の粉末被覆組成物。
態様９．二酸反応体が、テレフタル酸、イソフタル酸、ｔ−ブチルイソフタル酸およびそれらの混合物から成る群より選択される芳香族酸の芳香族酸、無水物または酸ハロゲン化物であることを特徴とする態様８に記載の粉末被覆組成物。
態様１０．オリゴエステルエステルジオールが、β−プロピオラクトン、γ−ブチロラクトン、γ−およびデルタ−バレロラクトン、ε−カプロラクトン、３，５，５−および３，３，５−トリメチルカプロラクトンおよびそれらの混合物から成る群より選択されるラクトンと二価化合物との反応生成物であることを特徴とする態様１に記載の粉末被覆組成物。
態様１１．ポリ酸が、少なくとも三酸であることを特徴とする態様１、２、５、８または９のいずれか一項に記載の粉末被覆組成物。
態様１２．三酸が、トリメリト酸無水物、クエン酸およびそれらの混合物から成る群より選択されることを特徴とする態様１１に記載の粉末被覆組成物。
態様１３．三酸がトリメリト酸無水物であることを特徴とする態様１１に記載の粉末被覆組成物。
態様１４．分枝ヒドロキシル末端オリゴエステルポリオールが約１．５から約５．０のヒドロキシル官能基を有することを特徴とする態様１に記載の粉末被覆組成物。
態様１５．粉末被覆組成物が、分枝ヒドロキシル末端オリゴエステルポリオールおよび架橋剤の質量に対して、約４０から約９７質量％の分枝ヒドロキシル末端オリゴエステルポリオールを含有することを特徴とする態様１または２に記載の粉末被覆組成物。
態様１６．粉末被覆組成物が、分枝ヒドロキシル末端オリゴエステルポリオールおよび架橋剤の質量に対して、約３から約６０質量％のウレトジオン架橋剤を含有することを特徴とする態様１または２に記載の粉末被覆組成物。
態様１７．ヒドロキシル末端オリゴエステルジオールを形成する反応は約１７０℃から約２００℃に冷却されて、約４００から約１５００ダルトンの分子量を有するオリゴエステルジオールを提供することを特徴とする態様３、８または９のいずれか一項に記載の粉末被覆組成物。
態様１８．支持体に適用した際に、少なくとも約４０℃のＴｇ、少なくとも約ＨＢの鉛筆の硬さ、約０．８から約４．０ｍｉｌｓの結合フィルムにおいて少なくとも約８０ｌｂｓの直接耐衝撃性、少なくとも約８０ｌｂｓの裏面耐衝撃性を有する被覆を提供するのに有効な粉末被覆組成物の製法において、前記製法が、
分枝ヒドロキシル末端オリゴエステルポリオールをウレトジオン架橋剤と配合して粉末被覆組成物を得ることを含み、分枝ヒドロキシル末端オリゴエステルポリオールは、約１５から約２５０の範囲のヒドロキシル価、約１から約２５の酸価、約１０００から約７５００ダルトンの範囲の数平均分子量を有し、分枝ヒドロキシル末端オリゴエステルポリオールは、ヒドロキシル末端オリゴエステルジオールと少なくとも約３つのカルボキシル官能基を有するポリ酸／無水物との反応生成物であり、ウレトジオン架橋剤は、イソシアネート基とヒドロキシル基の当量比を約０．５：１．０から約１．８：１とするのに有効であり、ウレトジオン架橋剤は、有効量のウレタン触媒を使用せずに約１６０℃の温度でまたは有効量のウレタン触媒を使用して約１６０℃を下回る温度で粉末被覆組成物を硬化させるのに有効な相対量で存在することを特徴とする粉末被覆組成物の製法。
態様１９．ヒドロキシル末端オリゴエステルジオールとポリ酸の比が約９：１から約３０：１であることを特徴とする態様１８に記載の粉末被覆組成物の製法。
態様２０．ヒドロキシル末端オリゴエステルジオールが、ジオールと、開鎖脂肪族ジカルボン酸、脂環式ジカルボン酸、芳香族カルボン酸、開鎖脂肪族ジカルボン酸無水物、脂環式ジカルボン酸無水物、芳香族ジカルボン酸無水物、開鎖ジカルボン酸ハロゲン化物、脂環式ジカルボン酸ハロゲン化物、芳香族ジカルボン酸ハロゲン化物およびそれらの混合物から成る群より選択される二酸反応体との反応生成物であり、ジオールと二酸との反応を、約４００から約１５００ダルトンの範囲の分子量を有するヒドロキシル末端オリゴエステルジオールを提供するのに有効な時間および温度で実施することを特徴とする態様１９に記載の粉末被覆組成物の製法。
態様２１．二酸反応体は芳香族二酸反応体を含有し、芳香族二酸反応体がテレフタル酸、フタル酸、フタル酸無水物、ジメチルテレフタル酸、ナフタレンジカルボキシレート、テトラクロロフタル酸、テレフタル酸ビスグリコールエステル、イソフタル酸、ｔ−ブチルイソフタル酸、およびそれらの混合物の芳香族酸、酸無水物または酸ハロゲン化物であることを特徴とする態様２０に記載の粉末被覆組成物の製法。
態様２２．二酸反応体は脂環式二酸反応体を含有し、脂環式二酸反応体が１，４−シクロヘキサンジカルボン酸、１，３−シクロヘキサンジカルボン酸、ヘキサヒドロフタル酸、ジメチルシクロヘキサンジカルボン酸およびそれらの混合物の脂環式酸、脂環式酸無水物または脂環式酸ハロゲン化物であることを特徴とする態様２０に記載の粉末被覆組成物の製法。
態様２３．ジオールが、ネオペンチルグリコール、１，６ヘキサンジオール、２−ブチル−２−エチル−１，３−プロパンジオール、１，４−シクロヘキサンジメタノール、およびそれらの混合物から成る群より選択され、二酸反応体が、芳香族二酸反応体、脂環式二酸反応体およびそれらの混合物から成る群より選択され、芳香族二酸反応体がテレフタル酸、フタル酸、フタル酸無水物、ジメチルテレフタル酸、ナフタレンジカルボキシレート、テトラクロロフタル酸、テレフタル酸ビスグリコールエステル、イソフタル酸、ｔ−ブチルイソフタル酸、およびそれらの混合物の芳香族酸、酸無水または酸ハロゲン化物であり、脂環式反応体が１，４−シクロヘキサンジカルボン酸、１，３−シクロヘキサンジカルボン酸、ヘキサヒドロフタル酸、ジメチルシクロヘキサンジカルボン酸およびそれらの混合物の脂環式酸、脂環式酸無水物または脂環式酸ハロゲン化物であることを特徴とする態様２０に記載の粉末被覆組成物の製法。
態様２４．ポリ酸が少なくとも三酸であることを特徴とする態様２３に記載の粉末被覆組成物の製法。
態様２５．分枝ヒドロキシル末端オリゴエステルポリオールが約１．５から約５．０のヒドロキシル官能基を有することを特徴とする態様２４に記載の粉末被覆組成物の製法。
態様２６．ヒドロキシル末端オリゴエステルジオールを形成する反応は約１７０℃から約２００℃に冷却されて、約４００から約１５００ダルトンの分子量を有するオリゴエステルジオールを提供することを特徴とする態様２４に記載の粉末被覆組成物の製法。
態様２７．約４００から約１５００ダルトンの範囲の数平均分子量を有するヒドロキシル末端オリゴエステルジオールと、少なくとも約３つのカルボキシル官能基を有するポリ酸との反応生成物を含有し、約１５から約２５０の範囲のヒドロキシル価、約１から約２５の酸価、約１５００から約７５００ダルトンの範囲の数平均分子量を有する分枝ヒドロキシル末端オリゴエステルポリオールであることを特徴とする分枝ヒドロキシル末端オリゴエステルポリオール。
態様２８．ヒドロキシル末端オリゴエステルジオールが、ジオールと、開鎖脂肪族ジカルボン酸、脂環式ジカルボン酸、芳香族ジカルボン酸、開鎖脂肪族ジカルボン酸無水物、脂環式ジカルボン酸無水物、芳香族ジカルボン酸無水物、開鎖ジカルボン酸ハロゲン化物、脂環式ジカルボン酸ハロゲン化物、芳香族ジカルボン酸ハロゲン化物およびそれらの混合物から成る群より選択される二酸反応体との反応生成物であることを特徴とする態様２７に記載の分枝ヒドロキシル末端オリゴエステルポリオール。
態様２９．ジオールが、ネオペンチルグリコール、１，６ヘキサンジオール、２−ブチル−２−エチル−１，３−プロパンジオール、１，４−シクロヘキサンジメタノール、ジエチレングリコール、１，３プロパンジオール、水素化ビスフェノールＡ、ジメチロールプロピオン酸、２，３，４，４−テトラメチル−１，３−シクロブタンジオール、エチレングリコール、プロピレングリコール、２，４−ジメチル−２−エチルヘキサン−１，３−ジオール、２−エチル−２−イソブチル−１，３−プロパンジオール、１，３−ブタンジオール、１，４−ブタンジオール、１，５−ペンタンジオール、チオジエタノール、１，２−シクロヘキサンジメタノール、１，３−シクロヘキサンジメタノール、１，４−キシリレンジオール、エトキシル化ビスフェノールＡ、３−ヒドロキシ−２，２−ジメチルプロプリオネート、メチルプロパンジオール、２−メチル−１，３−プロパンジオール、ヒドロキシピバリルヒドロキシピバレート、ビニルシクロヘキサンジオール、ジプロピレングリコール、ジメチオールプロプリオン酸、芳香族ジオール化合物およびそれらの混合物から成る群より選択されることを特徴とする態様２８に記載の分枝ヒドロキシル末端オリゴエステルポリオール。
態様３０．二酸反応体は芳香族二酸反応体を含有し、芳香族二酸反応体がテレフタル酸、フタル酸、フタル酸無水物、ジメチルテレフタル酸、ナフタレンジカルボキシレート、テトラクロロフタル酸、テレフタル酸ビスグリコールエステル、イソフタル酸、ｔ−ブチルイソフタル酸、およびそれらの混合物の芳香族酸、酸無水物または酸ハロゲン化物であることを特徴とする態様２９に記載の分枝ヒドロキシル末端オリゴエステルポリオール。
態様３１．二酸反応体は開鎖脂肪族二酸反応体を含有し、開鎖脂肪族二酸反応体が、フマル酸、アジピン酸、アゼライン酸、セバシン酸、ドデカン酸、グルタル酸、コハク酸、シュウ酸、イタコン酸、脂肪酸の２量体、無水マレイン酸、無水コハク酸、クロルエンド酸、ジグリコール酸、ナジク酸およびそれらの混合物の開鎖脂肪族酸、酸無水物または酸ハロゲン化物であることを特徴とする態様２９に記載の分枝ヒドロキシル末端オリゴエステルポリオール。
態様３２．二酸反応体は脂環式二酸反応体を含有し、脂環式二酸反応体が、１，４−シクロヘキサンジカルボン酸、１，３−シクロヘキサンジカルボン酸、ヘキサヒドロフタル酸、ジメチルシクロヘキサンジカルボン酸およびそれらの混合物の脂環式酸、脂環式酸無水物または脂環式酸ハロゲン化物であることを特徴とする態様２９に記載の分枝ヒドロキシル末端オリゴエステルポリオール。
態様３３．ジオールが、ネオペンチルグリコール、１，６ヘキサンジオール、２−ブチル−２−エチル−１，３−プロパンジオール、１，４−シクロヘキサンジメタノールおよびその混合物から成る群より選択され、二酸反応体が、芳香族二酸反応体、脂環式二酸反応体およびそれらの混合物から成る群より選択され、芳香族二酸反応体が、テレフタル酸、フタル酸、フタル酸無水物、ジメチルテレフタル酸、ナフタレンジカルボキシレート、テトラクロロフタル酸、テレフタル酸ビスグリコールエステル、イソフタル酸、ｔ−ブチルイソフタル酸およびこれらの混合物の芳香族酸、酸無水物または酸ハロゲン化物であり、脂環式反応体が、１，４−シクロヘキサンジカルボン酸、１，３−シクロヘキサンジカルボン酸、ヘキサヒドロフタル酸、ジメチルシクロヘキサンジカルボン酸およびそれらの混合物の脂環式酸、脂環式酸無水物または脂環式酸ハロゲン化物であることを特徴とする態様２８に記載の分枝ヒドロキシル末端オリゴエステルポリオール。
態様３４．オリゴエステルエステルジオールが、β−プロピオラクトン、γ−ブチロラクトン、γ−およびデルタ−バレロラクトン、ε−カプロラクトン、３，５，５−および３，３，５−トリメチルカプロラクトンおよびそれらの混合物から成る群より選択されるラクトンと二価化合物との反応生成物であることを特徴とする態様２８に記載の分枝ヒドロキシル末端オリゴエステルポリオール。
態様３５．ポリ酸が少なくとも三酸であることを特徴とする態様２８、２９、３０、３１、３２または３３のいずれか一項に記載の分枝ヒドロキシル末端オリゴエステルポリオール。
態様３６．三酸が、トリメリト酸無水物、クエン酸およびそれらの混合物から成る群より選択されることを特徴とする態様３５に記載の分枝ヒドロキシル末端オリゴエステルポリオール。
態様３７．三酸が、トリメリト酸無水物であることを特徴とする態様３６に記載の粉末被覆組成物。
態様３８．分枝ヒドロキシル末端オリゴエステルポリオールの製法において、前記製法は、
ヒドロキシル末端オリゴエステルジオールと少なくとも３つのカルボキシル官能基を有するポリ酸とを配合すること、および
ヒドロキシ末端ジオールとポリ酸とを、約１５から約２５０の範囲のヒドロキシル価、約１から約２５の酸価、約１５００から約７５００ダルトンの範囲の数平均分子量を有するヒドロキシル末端オリゴエステルポリオールを得るのに有効な時間および温度で反応させることを含み、ヒドロキシ末端オリゴエステルジオールは、ジオールと、開鎖脂肪族ジカルボン酸、脂環式ジカルボン酸、芳香族ジカルボン酸、開鎖脂肪族ジカルボン酸無水物、脂環式ジカルボン酸無水物、芳香族ジカルボン酸無水物、開鎖ジカルボン酸ハロゲン化物、脂環式ジカルボン酸ハロゲン化物、芳香族ジカルボン酸ハロゲン化物およびそれらの混合物から成る群より選択される二酸反応体との反応生成物であり、ジオールと二酸とを、約４００から約１５００ダルトンの範囲の数平均分子量を有するヒドロキシ末端ジオールを提供できる温度および時間で反応させ、ヒドロキシ末端ジオールとポリ酸との反応の前に、オリゴエステルジオールの数平均分子量が約４００から約１５００の範囲に到達する時間でジオールと二酸との反応を冷却することを特徴とする分枝オリゴエステルポリオールの製法。
態様３９．ヒドロキシル末端オリゴエステル対ポリ酸の割合が約９：１から約３０：１であることを特徴とする態様３８に記載の分枝ヒドロキシル末端オリゴエステルポリオールの製法。
態様４０．二酸反応体は芳香族二酸反応体を含有し、芳香族二酸反応体がテレフタル酸、フタル酸、フタル酸無水物、ジメチルテレフタル酸、ナフタレンジカルボキシレート、テトラクロロフタル酸、テレフタル酸ビスグリコールエステル、イソフタル酸、ｔ−ブチルイソフタル酸、およびそれらの混合物の芳香族酸、酸無水物または酸ハロゲン化物であることを特徴とする態様３９に記載の分枝ヒドロキシル末端オリゴエステルポリオールの製法。
態様４１．二酸反応体は脂環式二酸反応体を含有し、脂環式二酸反応体が、１，４−シクロヘキサンジカルボン酸、１，３−シクロヘキサンジカルボン酸、ヘキサヒドロフタル酸、ジメチルシクロヘキサンジカルボン酸およびそれらの混合物の脂環式酸、脂環式酸無水物または脂環式酸ハロゲン化物であることを特徴とする態様３９に記載の分枝ヒドロキシル末端オリゴエステルポリオールの製法。
態様４２．ジオールが、ネオペンチルグリコール、１，６ヘキサンジオール、２−ブチル−２−エチル−１，３−プロパンジオール、１，４−シクロヘキサンジメタノールおよびその混合物から成る群より選択され、二酸反応体が、芳香族二酸反応体、脂環式二酸反応体およびそれらの混合物から成る群より選択され、芳香族二酸反応体が、テレフタル酸、フタル酸、フタル酸無水物、ジメチルテレフタル酸、ナフタレンジカルボキシレート、テトラクロロフタル酸、テレフタル酸ビスグリコールエステル、イソフタル酸、ｔ−ブチルイソフタル酸およびこれらの混合物の芳香族酸、酸無水物または酸ハロゲン化物であり、脂環式反応体が、１，４−シクロヘキサンジカルボン酸、１，３−シクロヘキサンジカルボン酸、ヘキサヒドロフタル酸、ジメチルシクロヘキサンジカルボン酸およびそれらの混合物の脂環式酸、脂環式酸無水物または脂環式酸ハロゲン化物であることを特徴とする態様３９に記載の分枝ヒドロキシル末端オリゴエステルポリオールの製法。
態様４３．ポリ酸が少なくとも三酸であることを特徴とする態様３９に記載の分枝ヒドロキシル末端オリゴエステルポリオールの製法。
態様４４．分枝ヒドロキシル末端オリゴエステルポリオールが、約１．５から約５．０のヒドロキシル官能基を有することを特徴とする態様４３に記載の分枝ヒドロキシル末端オリゴエステルポリオールの製法。
態様４５．ヒドロキシル末端オリゴエステルジオールを形成するジオールと二酸との反応が、約１７０℃から約２００℃に冷却されることを特徴とする態様３８または４２に記載の分枝ヒドロキシル末端オリゴエステルポリオールの製法。
態様４６．分枝ヒドロキシル末端オリゴエステルポリオールを形成するヒドロキシル末端オリゴエステルジオールと三酸との反応を、温度約１８０℃から約２４０℃で、約４から約１５時間で実施することを特徴とする態様３８または４３に記載の分枝ヒドロキシル末端オリゴエステルポリオールの製法。